(57)【要約】【課題】分電盤に加えて、電気機器若しくは通信機器が備えられた空間の温度の上昇を抑制すること。【解決手段】壁部内に備えた空間部１３に、電気機器若しくは通信機器の少なくとも一方と、分電盤１１とを備えた、分電盤の設置構造１であって、空間部を臨む開口と、空間部を分割する仕切板１４を備え、仕切板で分断された空間部の少なくとも一方に、空間部から壁部内へ排気可能な通気部３７を備えた構成とする。【選択図】図１
2018074728.tif 000002
【特許請求の範囲】
【請求項１】
壁部内に備えた空間部に、電気機器若しくは通信機器の少なくとも一方と、分電盤とを備えた、分電盤の設置構造であって、空間部を臨む開口と、空間部を分割する仕切板を備え、仕切板で分断された空間部の少なくとも一方に、空間部から壁部内へ排気可能な通気部を備えた、分電盤の設置構造。
【請求項２】
空間部には、電源供給用のコンセントを備えた請求項１記載の分電盤の設置構造。
【請求項３】
空間部は、分電盤の背面側に配線空間を備えた請求項１又は２に記載の分電盤の設置構造。
【請求項４】
空間部は、仕切板より上方の空間に、少なくとも分電盤と通信機器を備え、
仕切板より下方の空間に、少なくとも分電盤に電気的に接続される自立の電気機器を備えた請求項１乃至３の何れかに記載の分電盤の設置構造。
【発明の詳細な説明】
【技術分野】
【０００１】
本発明は、分電盤の設置構造に関するものである。
【背景技術】
【０００２】
住宅の省エネルギー対策として、住宅用分電盤、蓄電池、蓄電池切替用の切替盤やＨＥＭＳなど、様々な機器が配置されている。これらの機器は、様々な場所に配置されているため、各機器間の配線距離が長く、煩雑になってしまう。そこで、特許文献１に記載されているように、分電盤を壁部内の空間に配置し、配線距離を短くすることも考えられている。
【先行技術文献】
【特許文献】
【０００３】
【特許文献１】特開平１１−３４６８５１号公報
【０００４】
しかしながら、各機器をすべて壁部内の空間に配置する場合、各機器が密集することで、壁部内の空間の温度が上昇してしまい、各機器に悪影響の出る虞がある。
【発明の概要】
【発明が解決しようとする課題】
【０００５】
本件の発明者は、この点について鋭意検討することにより、解決を試みた。本発明の課題は、分電盤に加えて、電気機器若しくは通信機器が備えられた空間の温度の上昇を抑制することである。
【課題を解決するための手段】
【０００６】
上記課題を解決するため、次のような手段を採用する。第一の手段は、壁部内に備えた空間部に、電気機器若しくは通信機器の少なくとも一方と、分電盤とを備えた、分電盤の設置構造であって、空間部を臨む開口と空間部を分割する仕切板を備え、仕切板で分断された空間部の少なくとも一方に、空間部から壁部内へ排気可能な通気部を備えた、分電盤の設置構造である。
【０００７】
第一の手段において、空間部には、電源供給用のコンセントを備えた構成とすることが好ましい。
【０００８】
第一の手段において、空間部は、分電盤の背面側に配線空間を備えた構成とすることが好ましい。
【０００９】
第一の手段において、空間部は、仕切板より上方の空間に、少なくとも分電盤と通信機器を備え、仕切板より下方の空間に、少なくとも分電盤に電気的に接続される自立の電気機器を備えた構成とすることが好ましい。
【発明の効果】
【００１０】
本発明では、分電盤に加えて、電気機器若しくは通信機器が備えられた空間の温度の上昇を抑制することが可能となる。
【図面の簡単な説明】
【００１１】
【図１】実施例１の分電盤の設置構造の正面図である。
【図２】実施例１の分電盤の設置構造の平面図である。ただし、各機器の配置状態が分かるように、各機器の外形を表す線を重ねて示している。
【図３】実施例１の変形例における分電盤の設置構造の正面図である。
【図４】実施例１の変形例における分電盤の設置構造の平面図である。ただし、各機器の配置状態が分かるように、各機器の外形を表す線を重ねて示している。
【図５】実施例２の分電盤の設置構造の正面図である。
【図６】実施例２の分電盤の設置構造の平面図である。ただし、各機器の配置状態が分かるように、各機器の外形を表す線を重ねて示している。
【図７】実施例２の分電盤の設置構造の側面図である。
【図８】実施例３の分電盤の設置構造の正面図である。
【図９】実施例３の分電盤の設置構造の平面図である。ただし、各機器の配置状態が分かるように、各機器の外形を表す線を重ねて示している。
【図１０】実施例４の分電盤の設置構造の正面図である。
【図１１】実施例４の分電盤の設置構造の平面図である。ただし、各機器の配置状態が分かるように、各機器の外形を表す線を重ねて示している。
【図１２】実施例４の分電盤の設置構造の側面図である。
【図１３】実施例５の分電盤の設置構造の正面図である。
【図１４】実施例５の分電盤の設置構造の平面図である。ただし、各機器の配置状態が分かるように、各機器の外形を表す線を重ねて示している。
【図１５】実施例５の分電盤の設置構造の側面図である。
【図１６】実施例６の分電盤の設置構造の正面図である。
【図１７】実施例６の分電盤の設置構造の側面図である。
【図１８】実施例７の分電盤の設置構造の正面図である。
【図１９】実施例７の分電盤の設置構造の側面図である。
【発明を実施するための形態】
【００１２】
以下に発明を実施するための形態を示す。図１に示すように、本実施形態の分電盤の設置構造１は、建物の壁部２内に分電盤１１を備えた空間部１３と、空間部１３を臨む開口５０を備えている。また、この空間部１３には、電気機器若しくは通信機器の少なくとも一方を備えている。この空間部１３には、空間部１３を分割する仕切板１４を備えており、仕切板１４で分断された空間部１３の少なくとも一方に、空間部１３から壁部２内へ排気や、天井８又は床下への排気が可能な通気部３７を備えている。したがって、分電盤１１からの配線が煩雑となることを抑制できる。また、空間部１３の温度上昇を抑制することが可能となる。
【００１３】
本実施形態の壁部２は、内壁２２と外壁２１を備えている。外壁２１は屋外に面し、内壁２２は屋内の部屋に面している。また、内壁２２には、空間部１３を臨む開口５０が設けられている。分電盤１１を備えた空間部１３は、この内壁２２と外壁２１に囲まれた空間内に設けられている。この空間部１３は仕切板１４によって分割されており、仕切板１４の上にＨＥＭＳ（Ｈｏｍｅ  Ｅｎｅｒｇｙ  Ｍａｎａｇｅｍｅｎｔ  Ｓｙｓｔｅｍ）３１やルータ３２などの情報機器を備えている。また、仕切板１４の上部の空間には、住宅用分電盤や情報分電盤、切替盤などの壁設置用電気機器を備えている。更には、仕切板１４の下部の空間には、蓄電池１２２や全館空調装置など、自立する電気機器が備えられている。なお、外壁２１は内壁２２と対になって空間部１３を構成するものであればよく、外壁２１は屋内に面していてもよい。
【００１４】
空間部１３は、仕切板１４より上方の空間に、分電盤１１やＨＥＭＳ３１やルータ３２などの情報機器や、切替開閉器３３などのやや小型の電気機器が配置されている。また、仕切板１４の下部の空間には、蓄電池１２２や全館空調装置など、仕切板１４の上に配置された電気機器よりも重い電気機器が配置されている。
【００１５】
なお、空間部１３を仕切る仕切板１４に通気用のスリット３５を複数形成することで、空間部１３内の特定カ所で温度が上昇することを抑制させることもできる。
【実施例１】
【００１６】
本実施例は、住宅内の構造を示しており、分電盤１１は住宅用分電盤１１である。ここで、図１及び図２を例に分電盤の設置構造１を説明する。本実施例では、空間部１３は、前後を外壁２１、内壁２２、左右を横仕切壁４１、上下を天井８、床９で囲われた閉鎖空間となっている。より詳しくは、空間部１３の左右は、上下方向に延びる横仕切壁４１により仕切られている。壁設置用電気機器を取り付ける取付壁４２が、この横仕切壁４１間をわたすように設けられている。また、空間部１３を分断する仕切板１４も、この横仕切壁４１間をわたすように設けられている。本実施例では分電盤１１を取付壁４２に設置しているが、分電盤１１を横仕切壁４１に設置するものとしても良い。
【００１７】
本実施例においては、取付壁４２と外壁２１との間に、分電盤１１からの配線を通す配線空間１５を設けている。なお、分電盤１１を横仕切壁４１に直接設置する場合には、分電盤１１と外壁２１との間に配線空間１５を設けるものとしても良い。このように、分電盤１１の背面側に配線空間１５を備えた構成とすることで、分電盤１１からの配線が煩雑となることを抑制することができる。
【００１８】
本実施例においては、横仕切壁４１や天井８、床９に通気部３７を備えている。この通気部３７があるため、壁部２内や屋根裏、床下へ排気が可能となる。また、図示はしないが、取付壁４２に通気部を備えている。このように通気部を設けることで、空間部１３の温度上昇を抑制することが可能となる。通気部３７には例えば格子やスリット等が設けられて小動物の侵入を阻止する構造であることが好ましい。
【００１９】
本実施例の空間部１３は仕切板１４の上部に電源供給用のコンセント３６を備えている。このため、通信機器等への電力供給が容易となる。
【００２０】
また、本実施例の空間部１３は、仕切板１４より上方の空間に、少なくとも分電盤１１と通信機器を備え、仕切板１４より下方の空間に、少なくとも分電盤１１に電気的に接続される自立の電気機器を備えている。したがって、各機器間の配線距離を短くすることができる。
【００２１】
本実施例では、内壁２２の開口５０に対して回動可能に扉１９が取り付けられている。壁部２内に配置されている分電盤１１などを操作したり、確認したりしなくてよいときは、この扉１９は閉じておけば良い。
【００２２】
図３及び図４には、本実施例の変形例を示している。この変形例は仕切板１４を二つ設けており、上下方向に空間が３つに分断されている。このように、仕切板１４は複数個設けるものとすることができる。
【実施例２】
【００２３】
次に図５、６及び図７を例に分電盤の設置構造１を説明する。本実施例では、空間部１３の左右は、床９から天井８まで上下方向に延びるレール４４により仕切られている。壁設置用電気機器を取り付ける取付壁４２が、床９から天井８までわたる一対のレール４４をわたすように設けられている。また、空間部１３を分断する仕切板１４も、このレール４４をわたすように設けられている。なお、本実施例では分電盤１１を取付壁４２に設置しているが、分電盤１１を一対のレール４４に直接設置するものとしても良い。
【００２４】
本実施例においては、レール４４と内壁２２との間に、空間部１３から壁部２内に排気可能な通気部３７が設けられている。
【実施例３】
【００２５】
次に図８及び９を例に分電盤の設置構造１を説明する。本実施例では、空間部１３の左右は、上下方向に延びる横仕切壁４１により仕切られている。この横仕切壁４１には一対のレール４４が設けられている。壁設置用電気機器を取り付ける取付壁４２が、一対のレール４４をわたすように設けられている。また、空間部１３を分断する仕切板１４も、このレール４４をわたすように設けられている。なお、本実施例では分電盤１１を取付壁４２に設置しているが、分電盤１１を一対のレール４４に直接設置するものとしても良い。
【００２６】
本実施例においては、取付壁４２と外壁２１との間に、分電盤１１からの配線を通す配線空間１５を設けている。なお、分電盤１１をレール４４に直接設置する場合には、分電盤１１と外壁２１との間に配線空間１５を設けるものとしても良い。このように、分電盤１１の背面側に配線空間１５を備えた構成とすることで、分電盤１１からの配線が煩雑となることを抑制することができる。
【００２７】
本実施例においては、横仕切壁４１や天井８、床９に通気部３７を備えている。この通気部３７があるため、壁部２内や屋根裏、床下へ排気が可能となる。また、図示はしないが、取付壁４２に通気部を備えている。このように通気部を設けることで、空間部１３の温度上昇を抑制することが可能となる。
【実施例４】
【００２８】
次に図１０、１１及び図１２を例に分電盤の設置構造１を説明する。本実施例では、一対のレール４４が二組設けられており、空間部１３の左右は、床９から天井８まで上下方向に延びる二組のレール４４により仕切られている。壁設置用電気機器を取り付ける取付壁４２は、床９から天井８までわたる二組の一対のレール４４をわたすように設けられている。また、空間部１３を分断する仕切板１４も、このレール４４をわたすように設けられている。なお、本実施例では分電盤１１を取付壁４２に設置しているが、分電盤１１を一対のレール４４に直接設置するものとしても良い。
【００２９】
本実施例においては、レール４４と内壁２２との間に、空間部１３から壁部２内に排気可能な通気部３７が設けられているとともに、レール４４とレール４４との間にも、空間部１３から壁部２内に排気可能な通気部３７が設けられている。
【実施例５】
【００３０】
次に図１３、１４及び図１５を例に分電盤の設置構造１を説明する。本実施例では、空間部１３の左右は、上下方向に延びる略ロ字状の枠体４６により仕切られている。壁設置用電気機器を取り付ける取付壁４２が、一対の枠体４６間をわたすように設けられている。また、空間部１３を分断する仕切板１４も、この枠体４６間をわたすように設けられている。本実施例では分電盤１１を取付壁４２に設置しているが、分電盤１１を枠体４６に設置するものとしても良い。
【００３１】
本実施例においては、枠体４６と内壁２２との間に、空間部１３から壁部２内に排気可能な通気部３７が設けられているとともに、枠体４６にも、空間部１３から壁部２内に排気可能な通気部３７が設けられている。
【実施例６】
【００３２】
次に図１６及び図１７を例に分電盤の設置構造１を説明する。この実施例は、床下空間９２を備えている。床下空間９２は、前後を外壁２１、床下壁面（図示しない）、左右を横仕切壁４１、上下を床９、基礎部分７２で囲われた閉鎖空間となっている。本実施例では、横仕切壁４１や天井８に通気部３７を備えている。この通気部３７などがあるため、壁部２内や屋根裏、床下へ排気が可能となる。
【００３３】
床下空間９２には、自立する電気機器である蓄電池１２２を配置している。また、横仕切壁４１を床下の基礎部分７２から天井８にわたるような構成としている。この例では、空間部１３は、床上空間９１と、壁際に配置した床下空間９２とが連なっており、床下空間９２に自立の電気機器を配置している。したがって、床下空間９２を有効活用することができる。
【００３４】
本実施例では、床下空間９２に自立の電気機器を配置しているため、自立の電気機器が多少大きくても、日常の行動範囲を狭めることが無い。また、本例では、取り外し可能な床蓋９３を採用し、自立の機器の設置や取り出しに際して支障がないようにしている。このような構成であると、床上空間９１に設けられた扉１９と、床蓋９３とを開放することで、床上空間と床下空間とを臨む一連の開口が形成され、空間部１３での作業性が向上する。なお、床下空間９２を閉鎖する床下壁面には、通気部が設けられており、空間部の排気を床下へ排出できる。また、床上空間９１と床下空間９２とが連なり、広い空間を形成しているため、空間部内の温度の上昇を抑えることができる。
【実施例７】
【００３５】
次に図１８及び図１９を例に分電盤の設置構造１を説明する。本実施例では、天井８の上側に、壁際に配置した上層空間ＵｐＥを、空間部１３が備えている。つまり、空間部１３は、下層階の下層空間ＵｎＥと上層階の上層空間ＵｐＥとで構成されている。この下層空間ＵｎＥには、分電盤１１、通信機器、自立の電気機器が配置される。また、上層空間ＵｐＥには、分電盤１１若しくは通信機器の少なくとも何れか一方が配置される。本実施例における上層空間ＵｐＥの分電盤１１は、下層空間ＵｎＥの分電盤１１と接続され、電力が下層空間ＵｎＥの分電盤１１から送られる。本実施例として、二階建ての建物を例とした場合、下層空間ＵｎＥは一階の壁部内に設けた空間、上層空間ＵｐＥは二階の壁部内に設けた空間であり、一階と二階の壁部内に設けた空間を連なるように空間部１３が構成されている。このとき、床９は一階の床面、天井８は一階の天井及び二階の床面、上層階の天井ＵＰＣは二階の天井を構成している。
【００３６】
本実施例では、横仕切壁４１や天井８に通気部３７を備えている。この通気部３７があるため、壁部２内や屋根裏へ排気が可能となる。また、本実施例のように、空間毎に分電盤を設けることで、各階への配線距離を短くすることができる。また、空間毎に通信機器を設けることで、ルータ等の中継機器が一箇所に集中することで生じる通信障害等を削減することができる。また、上層空間ＵｐＥと下層空間ＵｎＥとが連なり、広い空間を形成しているため、空間部１３内の温度の上昇を抑えることができる。なお、本実施例の空間部１３の左右は、上層階の天井ＵＰＣと床９との間を上下方向に延びる横仕切壁４１により仕切られている。壁設置用電気機器を取り付ける取付壁４２が、一対の横仕切壁４１間をわたすように設けられている。また、空間部１３を分断する仕切板１４も、この横仕切壁４１間をわたすように設けられている。本実施例では分電盤１１を取付壁４２に設置しているが、分電盤１１を横仕切壁４１に設置するものとしても良い。
【００３７】
以上、七つの実施例を中心に実施形態を説明してきたが、本発明は上記実施形態に限定されることはなく、各種の態様とすることが可能である。例えば、蓄電池などの発熱する電気機器に対して、その周囲を仕切る仕切板や、横仕切壁に断熱材を設けることで、温度上昇による機器への悪影響を抑制することも可能である。
【００３８】
空間部の前面には扉を備えることが好ましいが、必須事項ではなく、扉の無い構成とすることも可能である。
【符号の説明】
【００３９】
１  分電盤の設置構造
２  壁部
１１  分電盤
１３  空間部
１４  仕切板
１５  配線空間
３７  通気部
３６  コンセント
５０  開口
【図１】
2018074728.tif 000003
【図２】
2018074728.tif 000004
【図３】
2018074728.tif 000005
【図４】
2018074728.tif 000006
【図５】
2018074728.tif 000007
【図６】
2018074728.tif 000008
【図７】
2018074728.tif 000009
【図８】
2018074728.tif 000010
【図９】
2018074728.tif 000011
【図１０】
2018074728.tif 000012
【図１１】
2018074728.tif 000013
【図１２】
2018074728.tif 000014
【図１３】
2018074728.tif 000015
【図１４】
2018074728.tif 000016
【図１５】
2018074728.tif 000017
【図１６】
2018074728.tif 000018
【図１７】
2018074728.tif 000019
【図１８】
2018074728.tif 000020
【図１９】
2018074728.tif 000021